(57)【要約】【課題】狭い場所でも作業可能でありながら十分な切断力を得ることが可能なせん断工具を提供する。【解決手段】相対回動可能な一対のカッタ片１１，１２を備え、各カッタ片１１，１２に形成された刃先部１１ｂ，１２ｂで切断対象物を切断可能なカッタ部１０と、各カッタ片１１，１２に回動力を与え、かつ、作用点としての刃先部１１ｂ，１２ｂにレバー比に基づく操作力が伝達されるように、回動中心である回動軸２５から延ばされた一対のアーム２１，２２と、一対のアーム２１，２２が相対回動可能に連結された１本の連結軸部材３１および両アーム２１，２２と連結軸部材３１との間に介在され、連結軸部材３１に沿って移動可能なスライダ３２，３３を有し、スライダ３２，３３が連結軸部材３１に沿って移動してアーム２１，２２に操作力を入力するようにしたアーム操作部３０と、を備えるせん断工具とした。【選択図】図１
2019217583.tif 000002
【特許請求の範囲】
【請求項１】
相対回動可能な一対のカッタ部材を備え、各カッタ部材に形成された刃先部の間に配置された切断対象物を切断可能なカッタ部と、
両刃先部による切断を行うよう各カッタ部材に回動力を与え、かつ、作用点としての前記刃先部にレバー比に基づく操作力が伝達されるように、回動中心から延ばされた一対のアームと、
一対の前記アームが相対回動可能に連結された１本の連結軸部材、および、両アームの少なくとも一方と前記連結軸部材との間に介在され、前記連結軸部材に沿って移動可能な移動部材を有し、前記移動部材が前記連結軸部材に沿って移動して前記アームに前記操作力を入力するようにしたアーム操作部と、
を備えるせん断工具。
【請求項２】
請求項１に記載のせん断工具において、
前記アーム操作部は、
前記連結軸部材の外周に形成された雄ネジと、
前記移動部材に形成され、前記雄ネジに噛み合う雌ネジと、を備え、
前記連結軸部材の回転により前記移動部材が前記連結軸部材に沿って移動可能に形成されているせん断工具。
【請求項３】
請求項２に記載のせん断工具において、
前記アーム操作部は、
一対の前記アームがそれぞれ連結された一対の前記移動部材を備え、
前記雄ネジとして、前記連結軸部材において軸方向に沿う方向の異なる位置に形成された一対の前記雄ネジを備えるとともに、各雄ネジは、相互に螺旋の方向が逆向きに形成され、
一対の前記移動部材は、それぞれ噛み合う各雄ネジに応じた螺旋の向きの前記雌ネジが形成されているせん断工具。
【請求項４】
請求項１〜請求項３のいずれか１項に記載のせん断工具において、
前記アームの回動中心軸に沿う方向に離れた位置で把持可能な取っ手が設けられているせん断工具。
【請求項５】
請求項１〜請求項４のいずれか１項に記載のせん断工具において、
両刃先部で切断した前記切断対象物の飛散を抑制するカバー部材を備えるせん断工具。
【請求項６】
請求項４に従属する請求項５に記載のせん断工具において、
前記カバー部材は、
前記取っ手に取り付けられて前記カッタ部との間に空間を開けて前記カッタ部に対向して設けられた第１のカバー部材と、
前記第１のカバー部材と前記カッタ部との間の前記空間を覆って前記カッタ部に取り付けられ、前記カッタ部材の回動に追従可能に形成されている第２のカバー部材と、を備えるせん断工具。
【発明の詳細な説明】
【技術分野】
【０００１】
本開示は、せん断工具に関するものである。
【背景技術】
【０００２】
従来、壁や屋根などに打ち込まれたリベットの頭部を切断するせん断工具が知られている（例えば、特許文献１、特許文献２参照）。
これらの従来技術は、リベットなどの切断対象物を挟むように回動可能な一対の回動部材を備え、それらの両方あるいは一方に刃が設けられ、回動部材を回動させて刃の部分でリベットを切断するようになっている。また、両回動部材には、操作力を伝達するアームが設けられ、アームは、操作力が入力される位置を回動中心から遠くに配置することでアームの長さに応じたレバー比を得ることができる。
【先行技術文献】
【特許文献】
【０００３】
【特許文献１】特開昭５０−１０１９８５号公報
【特許文献２】実開昭５４−１４９７９１号公報
【発明の概要】
【発明が解決しようとする課題】
【０００４】
しかしながら、上記従来のせん断工具は、大きな切断力を得るためには、アームの長さが長くなり、作業環境によっては、長いアームを回動させるスペースを確保できない場合があった。
一方、狭い場所でも作業が可能なようにアームの長さを短くすると、得られるレバー比も小さくなり、十分な切断力を得るのが難しくなる。
【０００５】
本開示は、上述の問題に着目して成されたもので、狭い場所でも作業可能でありながら十分な切断力を得ることが可能なせん断工具を提供することを目的としている。
【課題を解決するための手段】
【０００６】
この目的を達成するため、本開示のせん断工具は、
相対回動可能な一対のカッタ部材を備え、各カッタ部材に形成された刃先部の間に配置された切断対象物を切断可能なカッタ部と、
両刃先部による切断を行うよう各カッタ部材に回動力を与え、かつ、作用点としての前記刃先部にレバー比に基づく操作力が伝達されるように、回動中心から延ばされた一対のアームと、
一対の前記アームが相対回動可能に連結された１本の連結軸部材、および、両アームの少なくとも一方と前記連結軸部材との間に介在され、前記連結軸部材に沿って移動可能な移動部材を有し、前記移動部材が前記連結軸部材に沿って移動して前記アームに前記操作力を入力するようにしたアーム操作部と、
を備えるせん断工具とした。
【発明の効果】
【０００７】
本開示のせん断工具は、狭い場所でも作業可能でありながら十分な切断力を得ることが可能である。
【図面の簡単な説明】
【０００８】
【図１】実施の形態のせん断工具Ａを示す正面図である。
【図２】実施の形態のせん断工具Ａを示す側面図である。
【図３】実施の形態１のせん断工具Ａにおいてアーム２１とスライダ３２との連結部分を示す図であって、連結軸部材３１の軸方向に沿う方向からスライダ３２とアーム２１とを見た状態を示す。
【図４Ａ】実施の形態１のせん断工具Ａにおいて第１のスライダ３２を図１と同方向である正面から見た正面図である。
【図４Ｂ】実施の形態１のせん断工具Ａにおいて第１のスライダ３２を連結軸部材３１の軸方向に沿う方向から見た側面図である。
【図４Ｃ】実施の形態１のせん断工具Ａにおいて第１のスライダ３２を図１において上方から見た平面図である。
【図５】実施の形態１のせん断工具Ａのカバー部材５０の上部保護カバー５１を示す平面図である。
【図６Ａ】実施の形態１のせん断工具Ａのカバー部材５０の側面カバー５２の端面を示す平面図である。
【図６Ｂ】実施の形態１のせん断工具Ａのカバー部材５０の側面カバー５２を、刃先部１１ｂ、１２ｂの延在方向から見た正面図である。
【図７Ａ】実施の形態１のせん断工具Ａの作用説明図であって、建物Ｈからガスケット３２０を取り外す作業を示す。
【図７Ｂ】実施の形態１のせん断工具Ａの作用説明図であって、建物Ｈから外壁パネル３００を取り外す作業を示す。
【図７Ｃ】実施の形態１のせん断工具Ａの作用説明図であって、外壁パネル３００と柱３１０との間に隙間５００を形成した状態を示す。
【図７Ｄ】実施の形態１のせん断工具Ａの作用説明図であって、隙間５００を図７Ｃの状態からさらに拡げた状態を示す。
【発明を実施するための形態】
【０００９】
以下、本開示の実施の形態を図面に基づいて説明する。
まず、実施の形態のせん断工具Ａの構造を説明する。
図１は、せん断工具Ａを示す正面図である。
せん断工具Ａは、カッタ部１０、アーム部２０、アーム操作部３０、取っ手４０、カバー部材５０を備える。
【００１０】
（カッタ部）
まず、カッタ部１０について説明する。
カッタ部１０は、カッタ部材としての板状の第１のカッタ片１１と第２のカッタ片１２とを有する。各カッタ片１１，１２は、板状のカッタ片支持部材１３に立ち上げられて固定された回動支軸１１ａ，１２ａを中心に回動可能に支持され、両カッタ片１１、１２の刃先部１１ｂ，１２ｂにより後述するリベット１００（図７Ｄ参照）などを切断する。
【００１１】
また、両カッタ片１１，１２は、回動支軸１１ａ，１２ａから刃先部１１ｂ，１２ｂとは反対側に延びるレバー部１１ｃ，１２ｃを備え、このレバー部１１ｃ，１２ｃの先端の後述する回動連結軸２６から操作力が入力される。ここで、カッタ片１１，１２では、回動中心の回動支軸１１ａ，１２ａから作用点である刃先部１１ｂ，１２ｂまでの距離よりも、回動支軸１１ａ，１２ａと力点であるレバー部１１ｃ，１２ｃの先端の回動連結軸２６との距離の方が長くなっている。よって、作用点である刃先部１１ｂ，１２ｂでは、両カッタ片１１，１２に入力された操作力に対し、前記距離の比率に基づくレバー比を得て大きな力を得ることができる。
【００１２】
また、カッタ片１１，１２は、図２に示すように、レバー部１１ｃ，１２ｃが、刃先部１１ｂ，１２ｂに対して角度θで傾けられている。すなわち、刃先部１１ｂ，１２ｂを、切断対象のリベット１００が設けられた壁面などの設置面２００に沿わせた場合に、アーム部２０およびアーム操作部３０が、設置面２００から離れて配置されるようになっている。
【００１３】
さらに、カッタ片支持部材１３の裏面には、刃先部１１ｂ、１２ｂの全体が図２に示すように設置面２００に沿って当接させるための座部材１４が取り付けられている。すなわち、カッタ片支持部材１３において図２の下側に位置する端面１３ａおよび座部材１４の下側の端面１４ａは、カッタ片１１，１２の側に位置する面に対して、前述の角度θを成すよう傾斜され、かつ、刃先部１１ｂ，１２ｂに沿うように配置されている。
【００１４】
したがって、カッタ片支持部材１３の端面１３ａおよび座部材１４の端面１４ａの全面を設置面２００に当接させると、カッタ片１１，１２の刃先部１１ｂ，１２ｂが、その全長に亘って設置面２００に沿って配置される。
【００１５】
（アーム部）
次に、アーム部２０について説明する。
アーム部２０は、レバー部１１ｃ，１２ｃに回動力を与える操作を行う部分であり、図１に示すように、レバー部１１ｃに連結された第１のアーム２１と、レバー部１２ｃに連結された第２のアーム２２とを備える。
【００１６】
各アーム２１，２２は、同様の構成であり、それぞれ、板状のアーム本体２３とアーム本体２３を挟んでアーム本体２３と一体的に設けられたプレート部材２４とを備える。
アーム本体２３，２３は、それぞれ、回動軸２５を中心として回動可能に連結されている。そして、アーム本体２３，２３の一端が回動連結軸２６によりレバー部１１ｃ、１２ｃと相対回動可能に連結され、他端側がプレート部材２４と一体的に結合されている。 
【００１７】
プレート部材２４は、図３に示すように、２枚の板材を並設しアーム本体２３を挟んで形成されている。そして、プレート部材２４の先端部には、後述するアーム操作部３０のスライダ３２，３３が、回動可能に連結されている。なお、スライダ３２，３３や、この回動の方向などについては後述する。
【００１８】
上述したアーム部２０は、図１において第１のアーム２１が回動軸２５を中心に時計回り方向に回動し、第２のアーム２２が回動軸２５を中心に反時計回り方向に回動すると、カッタ片１１，１２が、刃先部１１ｂ，１２ｂで切断を行うように回動する。
【００１９】
ここで、各アーム２１，２２は、作用点である回動連結軸２６と回動中心の回動軸２５との距離よりも、回動軸２５と後述する力点であるプレート部材２４の先端部との距離の方が長く形成されている。したがって、各アーム２１，２２では、作用点である回動連結軸２６では、前述の距離の比率に基づくレバー比により、プレート部材２４に入力される操作力よりも大きな回動力を得ることができる。
【００２０】
（アーム操作部）
次に、アーム操作部３０について説明する。
アーム操作部３０は、アーム部２０に対し一対のアーム２１，２２を回動させる操作力を伝達するもので、各アーム２１，２２に連結された連結軸部材３１と、移動部材としての第１のスライダ３２および第２のスライダ３３とを備える。
【００２１】
連結軸部材３１は、断面が円形の棒状に形成されている。そして、連結軸部材３１の外周には、軸方向に沿う方向の中間部を挟んで、第１の雄ネジ３１ａと第２の雄ネジ３１ｂとが形成されている。第１の雄ネジ３１ａと第２の雄ネジ３１ｂは、それぞれ、螺旋の雄ネジであるが螺旋の向きが逆向きとなっており、ここでは、第１の雄ネジ３１ａが左ネジ、第２の雄ネジ３１ｂが右ネジとする。
また、連結軸部材３１の両端には、ナット３１ｃ、３１ｄが固定され、さらに、連結軸部材３１の軸方向の中間部にストッパとしてのナット３１ｅが固定されている。
【００２２】
第１のスライダ３２および第２のスライダ３３は、それぞれ、内周に雌ネジ３２ａ，３３ａが形成されている。すなわち、第１のスライダ３２は、その雌ネジ３２ａを第１の雄ネジ３１ａと噛み合わせて、第１の雄ネジ３１ａの外周に装着されている。同様に、第２のスライダ３３は、その雌ネジ３３ａを第２の雄ネジ３１ｂと噛み合わせて、第２の雄ネジ３１ｂの外周に装着されている。
【００２３】
図４Ａ、図４Ｂ、図４Ｃに、第１のスライダ３２を示す。なお、これらの図では、第１のスライダ３２を図示しているが、両スライダ３２，３３は同様の構成であるので、第２のスライダ３３も図示しているものとしてカッコ書きでスライダ３３の符号も表記する。
【００２４】
なお、図４Ａは第１のスライダ３２を図１と同方向である正面から見た正面図、図４Ｂは第１のスライダ３２を連結軸部材３１の軸方向に沿う方向から見た側面図、図４Ｃは第１のスライダ３２を図１において上方から見た平面図である。
【００２５】
図４Ａ〜図４Ｃに示すように、スライダ３２は、スライダ本体３２１と、一対の連結軸３２２，３２２とを備える。
スライダ本体３２１は、略円柱状に形成され、円柱の軸心に直交する方向にネジ穴３２１ａが形成されている。そして、このネジ穴３２１ａの内周に前述の雌ネジ３２ａが形成されている。
【００２６】
連結軸３２２は、スライダ本体３２１の両端面の軸心位置で、軸心に沿う方向に突出されている。そして、両連結軸３２２，３２２は、図３に示すように、各アーム２１，２２のプレート部材２４の一対のプレートに相対回動可能に支持されている。すなわち、アーム２１，２２は、スライダ３２，３３に対して、連結軸部材３１の中心軸に直交する方向を向いた連結軸３２２を中心に回動可能に連結されている。
【００２７】
このように、スライダ本体３２１は、プレート部材２４に支持されているため、連結軸部材３１をその軸心を中心に回転させると、各スライダ３２，３３は、連結軸部材３１に沿って移動する。そして、連結軸部材３１の第１の雄ネジ３１ａと第２の雄ネジ３１ｂとの螺旋の向きが逆向きであるため、連結軸部材３１を回転させた際に、各スライダ３２，３３は、連結軸部材３１に沿って逆方向にスライドする。
【００２８】
例えば、連結軸部材３１を時計回り方向と反時計回り方向との一方に回転させると、両スライダ３２，３３は、例えば、図１において矢印Ｍ１，Ｍ２に示すように、両者３２，３３が近付くように移動する。また、連結軸部材３１を、それとは逆方向に回転させると、両スライダ３２，３３は、矢印Ｍ１，Ｍ２と逆方向に両者３２，３３が離れるように移動する。
【００２９】
したがって、スライダ３２，３３が、相対的に近付くように、図１の矢印Ｍ１，Ｍ２の方向に移動した場合、アーム部２０では、第１のアーム２１が図１において時計回り方向に回動し、第２のアーム２２が図１において反時計回り方向に回動する。よって、カッタ部１０では、両カッタ片１１，１２が、刃先部１１ｂ，１２ｂの間の切断対象物を切断する。
【００３０】
逆に、スライダ３２，３３が、図１の矢印Ｍ１，Ｍ２とは逆方向に、相対的に離れる方向に移動した場合、アーム部２０では、第１のアーム２１が図１において反時計回り方向に回動し、第２のアーム２２が図１において時計回り方向に回動する。よって、カッタ部１０では、刃先部１１ｂ，１２ｂどうしが離れるように両カッタ片１１，１２が回動する。
また、連結軸部材３１の回転に対してスライダ３２，３３が移動する場合、連結軸部材３１の回転速度に対してスライダ３２，３３は減速して移動する。よって、スライダ３２，３３から各アーム２１，２２に対しては、操作力（トルク）が増大して伝達される。
【００３１】
（取っ手）
次に、取っ手４０について説明する。
取っ手４０は、リベット１００などの切断対象物の切断時にせん断工具Ａの保持を行うのに用いる。この取っ手４０は、図２に示すように、把持部４１と連結部４２とにより略Ｌ字状に形成されている。
【００３２】
把持部４１は作業者が握る部分であり、レバー部１１ｃ，１２ｃおよびアーム部２０に対して、アーム部２０の回動軸２５の軸心に沿う方向に離れた位置に配置されている。また、連結部４２は、カッタ片支持部材１３に溶接などにより固定されている。
【００３３】
（カバー部材）
次に、カバー部材５０について説明する。
カバー部材５０は、リベット１００の頭部など切断対象物の切り離した側の部材が飛び散るのを防ぐためのもので、図１に示すように、第１のカバー部材としての上部保護カバー５１と、第２のカバー部材としての側面カバー５２とを備える。
【００３４】
上部保護カバー５１は、図５に示すように、本体５１ａと連結片５１ｂとを備える。本体５１ａは、平面形状が６角形の薄板状に形成されている。また、連結片５１ｂは、本体５１ａの最も長い辺から外方に突出され、図２に示すように、取っ手４０に結束部材５３により固定されている。なお、上部保護カバー５１は、ビニルなどの樹脂により形成されている。
【００３５】
側面カバー５２は、図２に示すように、上部保護カバー５１とカッタ片１１，１２において刃先部１１ｂ、１２ｂが設けられている部位との間の空間を覆って設けられている。この側面カバー５２は、図６Ａに示す、一対の側壁部５２ａ，５２ｂと、両側壁部５２ａ，５２ｂの一端を連結する背面壁部５２ｃとを備える。
【００３６】
側壁部５２ａ，５２ｂは、図１に示すように、カッタ片１１，１２の外側に沿うことができる形状に形成され、それぞれ、カッタ片１１，１２に設けられたブラケット部１１ｄ，１２ｄにネジ５４により取り付けられている。また、背面壁部５２ｃは、取っ手４０の連結部４２の背面に沿って設けられている。
また、側面カバー５２は、アクリル板などのある程度の強度を有した樹脂板により形成され、かつ、カッタ片１１，１２の回動に追従して変形可能となっている。
【００３７】
（実施の形態の作用）
次に、実施の形態の作用を、図７Ａ〜図７Ｄに基づいて説明する。
なお、作用の説明にあたり、建物Ｈの外壁パネル３００の交換に際し、既設の外壁パネル３００を柱３１０（図７Ｃ参照）に固定したリベット１００を切断する作業の手順を説明する。
【００３８】
まず、図７Ａに示すように、建物Ｈの外壁パネル３００の端縁部に設けられているガスケット３２０を、ペンチ４１０を用いて取り外す。
次に、図７Ｂに示すように、外壁パネル３００の取り外し用の治具４２０を用い、交換対象の既設の外壁パネル３００の下端部を、図７Ｃに示すように、柱３１０から剥がし、外壁パネル３００と柱３１０との間に隙間５００を形成する。なお、この際、隣接の外壁パネル３００ｂを傷付けないように、治具４２０との間に保護シート４３０を配置する。
【００３９】
次に、外壁パネル３００の下端側から隙間５００に、せん断工具Ａを差し込む。この場合、カッタ部１０のカッタ片１１，１２から隙間５００差し込んで、カッタ片１１，１２の刃先部１１ｂ、１２ｂの間に、リベット１００を配置するように差し込む。さらに、カッタ部１０の座部材１４の端面１４ａを、柱３１０を設置面２００として沿わせ、刃先部１１ｂ，１２ｂがリベット１００の軸心に沿う方向に対して直角を成すようにする。
【００４０】
次に、作業者は、片手で、取っ手４０の把持部４１を握り、せん断工具Ａを保持した状態で、不図示のインパクトレンチを両ナット３１ｃ，３１ｄのいずれかに係合させ、連結軸部材３１を所定方向に回転させる。
この連結軸部材３１の回転により、各雄ネジ３１ａ，３１ｂに噛み合ったスライダ３２，３３が図１の矢印Ｍ１，Ｍ２方向に移動し、これによりアーム部２０の各アーム２１，２２が、先端部の回動連結軸２６，２６が相互に離れるように回動する。そして、このアーム部２０の回動に伴い、カッタ片１１，１２が回動し、刃先部１１ｂ，１２ｂによりリベット１００を切断する。
なお、このときのアーム２１，２２の最大ストロークは、スライダ３３のスライドがナット３１ｅに規制されることで、規制される。
【００４１】
また、上記の切断時に、各アーム２１，２２では、一端のスライダ３２，３３の位置と回転中心の回動軸２５との距離と、回動軸２５と回動連結軸２６との距離と、に基づくレバー比が得られる。さらに、カッタ片１１，１２においても、入力側の回動連結軸２６，２６と回転中心の回動支軸１１ａ，１２ａとの距離と、回動支軸１１ａ，１２ａと刃先部１１ｂ，１２ｂの切断部分との距離と、に基づくレバー比が得られる。
加えて、連結軸部材３１とスライダ３２，３３との間では、各雄ネジ３１ａ，３１ｂと、各雌ネジ３２ａ，３３ａとの回転運動を、スライダ３２，３３のスライドに変換する際に、減速されることにより、トルクが増大する。
以上のレバー比や減速により、アーム２１，２２の長さが短くても、刃先部１１ｂ，１２ｂでは、大きな切断力を得ることができる。
【００４２】
上述のようにして、リベット１００の切断を終えると、不図示のインパクトレンチにより連結軸部材３１を切断時とは逆方向に回転させ、スライダ３２，３３を、図１の矢印Ｍ１，Ｍ２とは逆方向にスライドさせる。これにより、せん断工具Ａでは、図１に示すように、カッタ片１１，１２の刃先部１１ｂ，１２ｂどうしが離れた状態に戻る。また、この時のスライダ３２，３３の移動は、ナット３１ｃ，３１ｄにより規制することができる。
【００４３】
（実施の形態の効果）
以下に、実施の形態のせん断工具Ａの効果を列挙する。
(1)実施の形態のせん断工具Ａは、
相対回動可能な一対のカッタ部材としてのカッタ片１１，１２を備え、各カッタ片１１，１２に形成された刃先部１１ｂ，１２ｂの間に配置されたリベット１００などの切断対象物を切断可能なカッタ部１０と、
両刃先部１１ｂ，１２ｂによる切断を行うよう各カッタ片１１，１２に回動力を与え、かつ、作用点としての刃先部１１ｂ，１２ｂにレバー比に基づく操作力が伝達されるように、回動中心である回動軸２５から延ばされた一対のアーム２１，２２と、
一対のアーム２１，２２が相対回動可能に連結された１本の連結軸部材３１、および、両アーム２１，２２と連結軸部材３１との間に介在され、連結軸部材３１に沿って移動可能な移動部材としてのスライダ３２，３３を有し、スライダ３２，３３が連結軸部材３１に沿って移動してアーム２１，２２に操作力を入力するようにしたアーム操作部３０と、
を備える。
したがって、刃先部１１ｂ，１２ｂにおける切断力は、アーム２１，２２の長さによるレバー比のみではなく、スライダ３２，３３への操作力にも依存する。したがって、スライダ３２，３３へ入力する操作力を大きくすることで、アーム２１，２２を短くして狭い場所での作業を可能としつつ、十分な切断力を得ることが可能となる。
【００４４】
(2) 実施の形態のせん断工具Ａは、
アーム操作部３０が、スライダ３２，３３に操作力を減速して伝達する減速機構を有する。
したがって、減速機構によりスライダ３２，３３へ操作力を増大して伝達可能であり、上記(1)のようにアーム２１，２２を長くすること無く、刃先部１１ｂ，１２ｂにおける切断力を確保することができる。
【００４５】
(3)実施の形態のせん断工具Ａは、
アーム操作部３０は、減速機構として、
連結軸部材３１の外周に形成された雄ネジ３１ａ，３１ｂと、
スライダ３２，３３に形成され、雄ネジ３１ａ，３１ｂに噛み合う雌ネジ３２ａ，３３ａと、を備え、
連結軸部材３１の回転によりスライダ３２，３３が連結軸部材３１に沿って移動可能に形成されている。
したがって、コンパクトな構造でありながら、連結軸部材３１の回転速度に対してスライダ３２，３３を減速して移動させることができる。
【００４６】
(4)実施の形態のせん断工具Ａは、
アーム操作部３０は、
一対のアーム２１，２２がそれぞれ連結された一対のスライダ３２，３３を備え、
連結軸部材３１において軸方向に沿う方向の異なる位置に形成された一対の雄ネジ３１ａ，３１ｂを備えるとともに、各雄ネジ３１ａ，３１ｂは、相互に螺旋の方向が逆向きに形成され、
一対のスライダ３２，３３は、それぞれ噛み合う各雄ネジ３１ａ，３１ｂに応じた螺旋の向きの雌ネジ３２ａ，３３ａが形成されている。
よって、連結軸部材３１の回転時に、両スライダ３２，３３は、逆方向にスライドし、アーム２１，２２に対し、両者の間隔を狭める回動および両者の間隔を広げる回動を行うことできる。これにより、刃先部１１ｂ，１２ｂによる切断動作およびその逆方向の動作をさせることができる。
したがって、アーム２１，２２の一方のみを回動させる場合と比較して、スライダ３２，３３の必要な移動量を抑え、効率の良い切断動作を行うことができる。
【００４７】
(5)実施の形態のせん断工具Ａは、
アーム２１，２２の回動中心軸（回動軸２５の軸心）に沿う方向に離れた位置で把持可能な取っ手４０が設けられている。
よって、作業者は、取っ手４０を握ってせん断工具Ａを保持した状態で、連結軸部材３１を回転させることができ、作業性に優れる。
また、取っ手４０は、把持部４１と連結部４２とにより略Ｌ字状に形成され、アーム２１，２２およびカッタ片１１，１２から離れて配置されていることから、例えば、非使用時には、把持部４１を足場のポケットなどに挿して保持することができる。これにより、落下防止をはかることができ、使い勝手に優れる。
【００４８】
(6)実施の形態のせん断工具Ａは、
両刃先部１１ｂ，１２ｂで切断対象物の飛散を抑制するカバー部材５０を備える。
したがって、切断したリベット１００の頭部などの切断対象物の飛散を抑制でき、使い勝手に優れる。
【００４９】
(7)実施の形態のせん断工具Ａは、
カバー部材５０は、
取っ手４０に取り付けられてカッタ部１０との間に空間を開けてカッタ部１０に対向して設けられた第１のカバー部材としての上部保護カバー５１と、
上部保護カバー５１とカッタ部１０との間の空間を覆ってカッタ部１０に取り付けられ、カッタ部材１０の回動に追従可能に形成されている第２のカバー部材としての側面カバー５２と、を備える。
よって、リベット１００などの切断対象物を切断した時点では、カッタ部１０の全周を覆うことができ、リベット１００の頭部などの飛散を、より確実に防止することができる。すなわち、上部保護カバー５１によりカッタ片１１，１２に対向する方向を覆い、上部保護カバー５１とカッタ片１１，１２との間は、側面カバー５２の側壁部５２ａ，５２ｂと背面壁部５２ｃとにより全周を囲っており、全方位の飛散を防止できる。
特に、実施の形態では、刃先部１１ｂ，１２ｂどうしが当接した際には、カッタ片１１，１２に取り付けられた側面カバー５２の側壁部５２ａ，５２ｂどうしが、図６Ｂに示すように、当接するようになっている。このため、上記の飛散防止を、さらに確実に行うことができる。
加えて、側面カバー５２は、アクリル板により形成し、リベット１００の頭部などの飛散による破損を抑制できる。
【００５０】
以上、実施の形態のせん断工具について説明したが、本発明のせん断工具は、本実施の形態に限定されるものではなく、本発明の要旨を変更しない範囲で適宜変更が可能である。
例えば、切断対象物として、リベットを示したが、切断対象は、これに限定されるものではなく、釘、ネジなど他の部材もせん断方向に切断可能である。
また、実施の形態では、刃先部を備えたカッタ部材とアームとは、別体の例を示したが、アームは、カッタ部材と一体であってもよい。なお、実施の形態では、カッタ部材とアームとを別体に形成することで、２段階にレバー比を得ることができる。
【００５１】
さらに、実施の形態では、一対のアームの両方が連結軸部材に対してスライドする例を示したが、一対のアームの一方のみが連結軸部材にスライドするようにしてもよい。例えば、一対のアームは、一方が連結軸部材に対して、回動可能に連結され、もう一方のみが、実施の形態と同様に、連結軸部材の雄ネジに噛み合う雌ネジを有したスライダを介して回動可能に連結されていてもよい。この場合、一対のアームの一方のみが連結軸部材に対してスライドするが、両アームは相対的に回動して、一対の刃先部による切断を行うことができる。
【００５２】
また、実施の形態では、連結軸部材を回転させるのに、インパクトレンチを使用する例を示したが、これに限定されるものではなく、手動で回転させてもよい。例えば、連結軸部材から外径方向にハンドルを伸ばし、取っ手を持ってこのハンドルを回転させるようにしてもよい。
また、実施の形態では、移動部材を連結軸部材に沿って移動させるのに、雄ネジと雌ネジとを用いたが、移動部材を移動させる構造としては、これに限定されない。連結軸部材にラックを設け、移動部材にピニオンを設け、ピニオンを回転させるようにしてもよい。
【符号の説明】
【００５３】
１０    カッタ部
１１    （第１の）カッタ片（カッタ部材）
１１ｂ  刃先部
１２    （第２の）カッタ片（カッタ部材）
１２ｂ  刃先部
２０    アーム部
２１    （第１の）アーム
２２    （第２の）アーム
２５    回動軸
２６    回動連結軸
３０    アーム操作部
３１    連結軸部材
３１ａ  第１の雄ネジ
３１ｂ  第２の雄ネジ
３２    （第１の）スライダ（移動部材）
３２ａ  雌ネジ
３３    （第２の）スライダ（移動部材）
３３ａ  雌ネジ
４０    取っ手
５０    カバー部材
５１    上部保護カバー（第１のカバー部材）
５２    側面カバー（第２のカバー部材）
１００  リベット（切断対象物）
Ａ      （実施の形態の）せん断工具
【図１】
2019217583.tif 000003
【図２】
2019217583.tif 000004
【図３】
2019217583.tif 000005
【図４Ａ】
2019217583.tif 000006
【図４Ｂ】
2019217583.tif 000007
【図４Ｃ】
2019217583.tif 000008
【図５】
2019217583.tif 000009
【図６Ａ】
2019217583.tif 000010
【図６Ｂ】
2019217583.tif 000011
【図７Ａ】
2019217583.tif 000012
【図７Ｂ】
2019217583.tif 000013
【図７Ｃ】
2019217583.tif 000014
【図７Ｄ】
2019217583.tif 000015